(57)【要約】【課題】停止時の状態において意匠性が向上し、かつ、吹き出し空気による空調対象空間の天井の汚れを抑制することができる空気調和装置を提供する。【解決手段】空気調和装置１は、空調対象空間の上方に配置される空気調和装置である。空気調和装置１は、ケース２と、第１可動パネル３と、可動パネル移動機構４とを備えている。ケース２は、その下面において、少なくとも１個の吹出口３５を有する。第１可動パネル３は、吹出口３５を開閉する。可動パネル移動機構４は、第１可動パネル３を、吹出口３５の少なくとも外側部分を閉じる第１位置と、吹出口３５の外側に開いた第２位置との間を移動させる。【選択図】図４
2007292328.tif 000002
【特許請求の範囲】
【請求項１】
空調対象空間の上方に配置される空気調和装置（１）であって、
下面において、少なくとも１個の吹出口（３５）を有するケース（２）と、
前記吹出口（３５）を開閉する第１可動パネル（３）と、
前記第１可動パネル（３）を、前記吹出口（３５）の少なくとも外側部分を閉じる第１位置と、前記吹出口（３５）の外側に開いた第２位置との間を移動させる可動パネル移動機構（４）と
を備えている空気調和装置（１）。
【請求項２】
前記ケース（２）は、下面において、少なくとも１個の吸込口（３４）を有しており、
前記吸込口（３４）を開閉する第２可動パネル（９）をさらに備えており、
前記可動パネル移動機構（４）は、前記第１可動パネル（３）および前記第２可動パネル（９）を開閉する、
請求項１に記載の空気調和装置（１）。
【請求項３】
前記第１可動パネル（３）は、前記第２位置において、前記空調対象空間の天井面に対して、下方へ０〜４５°傾斜した状態になる、
請求項１に記載の空気調和装置（１）。
【請求項４】
前記第１可動パネル（３）は、前記第２位置において、前記空調対象空間の天井面に対して、下方へ２０〜３０°傾斜した状態になる、
請求項３に記載の空気調和装置（１）。
【請求項５】
前記第１可動パネル（３）は、前記吹出口（３５）の幅Ｗに対して、０．２５〜１．０倍の幅を有している、
請求項１に記載の空気調和装置（１）。
【請求項６】
前記可動パネル移動機構（４）は、前記第１可動パネル（３）を、前記第１位置と前記第２位置との間を、回転させて移動させる、
請求項１から５のいずれかに記載の空気調和装置（１）。
【請求項７】
前記可動パネル移動機構（４）は、前記第１可動パネル（３）を、前記第１位置と前記第２位置との間を、スライドさせて移動させる、
請求項１から５のいずれかに記載の空気調和装置（１）。
【請求項８】
前記第１可動パネル（３）は、前記第２位置における前記空調対象空間の天井面に対する端部部分の傾斜角が中央部分の傾斜角よりも大きくなるような形状をしている、
請求項１から７のいずれかに記載の空気調和装置（１）。
【請求項９】
前記第１可動パネル（３）は、端部部分の幅よりも中央部分の幅が大きくなるような形状をしている、
請求項１から７のいずれかに記載の空気調和装置（１）。
【請求項１０】
前記第１可動パネル（３）は、前記第２位置において端部部分が中央部分よりも前記空調対象空間の天井面から離れているような形状をしている、
請求項１から７のいずれかに記載の空気調和装置（１）。
【請求項１１】
前記第１可動パネル（３）は、端部部分の厚さが中央部分の厚さよりも厚い形状をしている、
請求項１から７のいずれかに記載の空気調和装置（１）。
【請求項１２】
前記第１可動パネル（３）は、
（ａ）前記第２位置における前記空調対象空間の天井面に対する端部部分の傾斜角が中央部分の傾斜角よりも大きくなるような形状、
（ｂ）端部部分の幅よりも中央部分の幅が大きくなるような形状、
（ｃ）前記第２位置において端部部分が中央部分よりも前記空調対象空間の天井面から離れているような形状、および
（ｄ）端部部分の厚さが中央部分の厚さよりも厚い形状
からなる群から選ばれた少なくとも２つ以上の形状の組合せを有する
請求項１から７のいずれかに記載の空気調和装置（１）。
【発明の詳細な説明】
【技術分野】
【０００１】
本発明は、空気調和装置に関し、とくに空調対象空間の上方に配置される空気調和装置に関する。
【背景技術】
【０００２】
従来より、空調対象空間の上方に配置される空気調和装置として、吹出口および吸込口が天井面に沿うようにケース下面が平坦に構成された天井埋込型等の空気調和装置が知られている。
このような天井埋込型の空気調和装置では、ケース下面の吸込口から室内の空気を吸い込み、吸い込まれた空気をケース内部の熱交換器によって冷却または加熱することによって調和空気を生成し、生成された調和空気をケース下面の吹出口から室内へ吹き出している。
【特許文献１】特開２００６−２９６６５号公報
【発明の開示】
【発明が解決しようとする課題】
【０００３】
しかし、天井埋込み型などの空気調和装置では、ケース下面の吹出口が室内から見えるので、意匠性の向上が困難である。
また、ケース下面の吹出口が天井面に近いので、吹出口から吹き出される調和空気の一部が天井面に当たり、それによって天井が汚れるおそれがある。
本発明の課題は、停止時の状態において意匠性が向上し、かつ、吹き出し空気による空調対象空間の天井の汚れを抑制することができる空気調和装置を提供することにある。
【課題を解決するための手段】
【０００４】
第１発明に係る空気調和装置は、空調対象空間の上方に配置される空気調和装置である。空気調和装置は、ケースと、第１可動パネルと、可動パネル移動機構とを備えている。ケースは、その下面において、少なくとも１個の吹出口を有する。第１可動パネルは、吹出口を開閉する。可動パネル移動機構は、第１可動パネルを、吹出口の少なくとも外側部分を閉じる第１位置と、吹出口の外側に開いた第２位置との間を移動させる。
【０００５】
ここでは、空気調和装置の停止時においては、第１可動パネルは第１位置で吹出口の少なくとも外側部分を閉じて空調対象空間から見えなくするので、空気調和装置の停止時の状態において意匠性が向上する。また、空気調和装置の運転時においては、第１可動パネルが吹出口の外側に開いた第２位置に移動するので、吹き出し空気による空調対象空間の天井の汚れを抑制することが可能である。
【０００６】
第２発明に係る空気調和装置は、第１発明に係る空気調和装置であって、ケースは、下面において、少なくとも１個の吸込口を有している。空気調和装置は、吸込口を開閉する第２可動パネルをさらに備えている。可動パネル移動機構は、第１可動パネルおよび第２可動パネルを開閉する。
ここでは、ケースの下面の吸込口を開閉する第２可動パネルをさらに備え、可動パネル移動機構が第１可動パネルおよび第２可動パネルを開閉するので、空気調和装置の停止時において、第１可動パネルおよび第２可動パネルによって吸込口および吹出口の両方を閉じることによって、吹出口および吸込口を空調対象空間から見えなくすることが可能となり、意匠性がさらに向上する。
【０００７】
第３発明に係る空気調和装置は、第１発明に係る空気調和装置であって、第１可動パネルは、第２位置において、空調対象空間の天井面に対して、下方へ０〜４５°傾斜した状態になる。
ここでは、第１可動パネルが第２位置において空調対象空間の天井の面に対して下方へ０〜４５°傾斜した状態になるので、吹き出し空気による天井の汚れを効果的に抑制することが可能である。
【０００８】
第４発明に係る空気調和装置は、第３発明に係る空気調和装置であって、第１可動パネルは、第２位置において、空調対象空間の天井面に対して、下方へ２０〜３０°傾斜した状態になる。
ここでは、第１可動パネルが第２位置において空調対象空間の天井の面に対して下方へ２０〜３０°傾斜した状態になるので、吹き出し空気による天井の汚れをより効果的に抑制することが可能である。
【０００９】
第５発明に係る空気調和装置は、第１発明に係る空気調和装置であって、第１可動パネルは、吹出口の幅に対して、０．２５〜１．０倍の幅を有している。
ここでは、第１可動パネルが吹出口の幅に対して０．２５〜１．０倍の幅を有しているので、空気調和装置の停止時に第１可動パネルが第１位置で吹出口の少なくとも外側部分を閉じることによって吹出口を居室内から見えにくくするので、意匠性をより効果的に向上することが可能である。また、空気調和装置の運転時に第２位置における第１可動パネルが天井へ向かう空気の吹き出しを抑制することが可能であるので、吹き出し空気による空調対象空間の天井の汚れをより効果的に抑制することが可能である。
【００１０】
第６発明に係る空気調和装置は、第１発明から第５発明のいずれかに係る空気調和装置であって、可動パネル移動機構は、第１可動パネルを、第１位置と前記第２位置との間を、回転させて移動させる。
ここでは、可動パネル移動機構が第１可動パネルを第１位置と前記第２位置との間を回転させて移動させるので、簡単な機構で第１可動パネルを第１位置と第２位置との間を確実に往復移動させることが可能である。
【００１１】
第７発明に係る空気調和装置は、第１発明から第５発明のいずれかに係る空気調和装置であって、可動パネル移動機構は、第１可動パネルを、第１位置と前記第２位置との間を、スライドさせて移動させる。
ここでは、可動パネル移動機構が第１可動パネルを第１位置と前記第２位置との間をスライドさせて移動させるので、簡単な機構で第１可動パネルを第１位置と第２位置との間を確実に往復移動させることが可能である。
【００１２】
第８発明に係る空気調和装置は、第１発明から第７発明のいずれかに係る空気調和装置であって、第１可動パネルは、第２位置における空調対象空間の天井面に対する端部部分の傾斜角が中央部分の傾斜角よりも大きくなるような形状をしている。
ここでは、第１可動パネルが第２位置における空調対象空間の天井面に対する端部部分の傾斜角が中央部分の傾斜角よりも大きくなるような形状をしているので、吹出口の両端部付近における天井の汚れをより効果的に抑制することが可能になる。
【００１３】
第９発明に係る空気調和装置は、第１発明から第７発明のいずれかに係る空気調和装置であって、第１可動パネルは、端部部分の幅よりも中央部分の幅が大きくなるような形状をしている。
ここでは、第１可動パネルが端部部分の幅よりも中央部分の幅が大きくなるような形状をしているので、吹出口の中央付近における天井の汚れをより効果的に抑制することが可能である。
【００１４】
第１０発明に係る空気調和装置は、第１発明から第７発明のいずれかに係る空気調和装置であって、第１可動パネルは、第２位置において端部部分が中央部分よりも前記空調対象空間の天井面から離れているような形状をしている。
ここでは、第１可動パネルが第２位置において端部部分が中央部分よりも前記空調対象空間の天井面から離れているような形状をしているので、吹出口の両端部付近における天井の汚れをより効果的に抑制することが可能である。また、閉じた状態の第１可動パネルが天井に凹んで見えることによって意匠性がさらに向上する。
【００１５】
第１１発明に係る空気調和装置は、第１発明から第７発明のいずれかに係る空気調和装置であって、第１可動パネルは、端部部分の厚さが中央部分の厚さよりも厚い形状をしている。
ここでは、第１可動パネルが端部部分の厚さが中央部分の厚さよりも厚い形状をしているので、吹出口の両端部付近における天井の汚れをより効果的に抑制することが可能である。また、閉じた状態の第１可動パネルが天井に凹んで見えることによって意匠性がさらに向上する。
【００１６】
第１２発明に係る空気調和装置は、第１発明から第７発明のいずれかに係る空気調和装置であって、第１可動パネルは、（ａ）第２位置における空調対象空間の天井面に対する端部部分の傾斜角が中央部分の傾斜角よりも大きくなるような形状、（ｂ）端部部分の幅よりも中央部分の幅が大きくなるような形状、（ｃ）第２位置において端部部分が中央部分よりも空調対象空間の天井面から離れているような形状、および（ｄ）端部部分の厚さが中央部分の厚さよりも厚い形状からなる群から選ばれた少なくとも２つ以上の形状の組合せを有する。
【００１７】
ここでは、第１可動パネルが、（ａ）第２位置における空調対象空間の天井面に対する端部部分の傾斜角が中央部分の傾斜角よりも大きくなるような形状、（ｂ）端部部分の幅よりも中央部分の幅が大きくなるような形状、（ｃ）第２位置において端部部分が中央部分よりも空調対象空間の天井面から離れているような形状、および（ｄ）端部部分の厚さが中央部分の厚さよりも厚い形状からなる群から選ばれた少なくとも２つ以上の形状の組合せを有するので、これらの形状の組合せによって天井の汚れをより一層効果的に抑制することが可能になる。
【発明の効果】
【００１８】
第１発明によれば、空気調和装置の停止時の状態において意匠性が向上する。また、空気調和装置の運転時に吹き出し空気による空調対象空間の天井の汚れを抑制することができる。
第２発明によれば、吹出口および吸込口を空調対象空間から見えなくすることが可能となり、意匠性がさらに向上する。
【００１９】
第３発明によれば、吹き出し空気による天井の汚れを効果的に抑制することができる。
第４発明によれば、吹き出し空気による天井の汚れをより効果的に抑制することができる。
第５発明によれば、空気調和装置の停止時における意匠性が向上する。それとともに、運転時に天井面の汚れるおそれがある範囲を十分カバーでき、吹き出し空気による空調対象空間の天井の汚れをより効果的に抑制することができる。
【００２０】
第６発明によれば、簡単な機構で第１可動パネルを第１位置と第２位置との間を確実に往復移動させることができる。
第７発明によれば、簡単な機構で第１可動パネルを第１位置と第２位置との間を確実に往復移動させることができる。
第８発明によれば、吹出口の両端部付近における天井の汚れをより効果的に抑制することができる。
【００２１】
第９発明によれば、吹出口の中央付近における天井の汚れをより効果的に抑制することができる。
第１０発明によれば、吹出口の両端部付近における天井の汚れをより効果的に抑制することができる。また、閉じた状態の第１可動パネルが天井に凹んで見えることによって意匠性がさらに向上する。
【００２２】
第１１発明によれば、吹出口の両端部付近における天井の汚れをより効果的に抑制することができる。また、閉じた状態の第１可動パネルが天井に凹んで見えることによって意匠性がさらに向上する。
第１２発明によれば、天井の汚れをより一層効果的に抑制することができる。
【発明を実施するための最良の形態】
【００２３】
〔実施形態〕
＜空気調和装置１の基本構成＞
本発明の実施形態に係る天井設置型の空気調和装置１は、図１〜図５に示されるように、居室等の空調対象空間の上方における天井Ｃ（図３参照）に埋め込んだ状態で配置されている。空気調和装置１は、主として、ケース２と、第１可動パネル３と、可動パネル移動機構４（図５参照）と、送風ファン５と、熱交換器６と、ドレンパン７と、ベルマウス８とから構成されている。
【００２４】
ケース２は、例えば、空気調和装置１の概略側面断面を示す図３に示されるように、居室の天井Ｃに形成された開口に挿入されて配置されている。そして、ケース２の内部には、主として、居室内の空気をケース２内に吸入して外周方向に吹き出す送風ファン５と、送風ファン５の外周部を囲むように配置された熱交換器６とが配置されている。
図３に示される空気調和装置１では、ケース２は、天井Ｃの開口に嵌め込まれるように配置されている。なお、ケース２を天井Ｃの表面に吊り下げて配置してもよい。
【００２５】
ケース２の下面の中央には、図１〜図４に示すように、ケース２の下面を構成する平坦な下面パネルであるフラットパネル３３が配置されている。フラットパネル３３の両側には、居室内の空気を吸入する一対の吸込口３４が形成されている。さらに一対の吸込口３４の外側には、ケース２内から居室内に調和空気を吹き出す一対の吹出口３５が形成されている。吹出口３５には、調和空気が吹き出す角度を調節するフラップ４５が設けられている。
【００２６】
一対の第１可動パネル３は、それぞれ合成樹脂等で製造された平坦な板状部材であり、図１〜図４に示すように、フラットパネル３３の両側にそれぞれ配置されている。第１可動パネル３は、吹出口３５を開閉する。第１可動パネル３は、後述する可動パネル移動機構４によって、図３に示される吹出口３５を閉じる第１位置Ｉと、図４に示される吹出口３５を開放する第２位置IIとの間を移動する。第１可動パネル３は、第１位置Ｉでは天井Ｃと平行になる。一方、第１可動パネル３は、第２位置IIにおいて吹出口３５の外側（天井Ｃの面に近い側）に開く。
【００２７】
第１可動パネル３は、吹出口３５の幅Ｗ０に対して、０．２５〜１．０倍の幅Ｗ１を有している。
第１可動パネル３は、第２位置IIにおいて、居室の天井Ｃの面に対して、下方へ０〜４５°、好ましくは下方へ２０〜３０°傾斜した状態になる。
送風ファン５は、ターボファン等の遠心ファンから構成されており。図３に示されるように、居室内の空気をケース２の吸込口３４を通じてケース２内に吸入し、吹出口３５から調和空気を吹き出す空気流れを生成する。吸込口３４から吸入された空気は、ベルマウス８および送風ファン５を通って熱交換器６に流れる。熱交換器６では、空気は、冷媒と熱交換されて冷却または加熱されて調和空気となる。その後、調和空気は、ケース２の内側面に沿って流れた後に吹出口３５から居室等の空調対象空間へ吹き出す。
熱交換器６の下側には、図３に示されるように、熱交換器６において空気中の水分が凝縮されて生じるドレン水を受けるためのドレンパン７が配置されている。
【００２８】
＜可動パネル移動機構４の構成＞
可動パネル移動機構４は、図５に示すように、第１可動パネル３を第１位置Ｉと第２位置IIとの間を移動させる機構である。可動パネル移動機構４は、例えば、ステップモータ１３と、ステップモータ１３の駆動力を第１可動パネル３に伝達する駆動力伝達機構１４とから構成されている。駆動力伝達機構１４としては、例えば、ステップモータ１３の回転駆動力を減速しながら第１可動パネル３の回転軸３ａへ伝達する機構などが採用される。
可動パネル移動機構４は、空気調和装置１が運転開始のときには、第１可動パネル３を第１位置Ｉから天井Ｃに対して下方へ所定角度θだけ傾斜した第２位置IIへ回転移動させて、吹出口３５を開放する。一方、空気調和装置１が運転停止のときには、第１可動パネル３は、第２位置IIから第１位置Ｉへ回転移動させて、吹出口３５を閉じる。
【００２９】
＜実施形態の特徴＞
（１）
実施形態の天井埋込み型の空気調和装置１は、吹出口３５を開閉する第１可動パネル３と、第１可動パネル３を吹出口３５を閉じる第１位置Ｉと吹出口３５の外側に開いた第２位置IIとの間を移動させる可動パネル移動機構４とを備えている。
【００３０】
したがって、空気調和装置１の停止時においては、第１可動パネル３は第１位置Ｉで吹出口３５を閉じて居室内から見えなくするので、空気調和装置１のケース２の下面を天井面と調和することが可能となり、空気調和装置１の停止時の状態において意匠性が向上する。
また、空気調和装置１の運転時においては、第１可動パネル３が吹出口３５の外側、すなわち、空調対象空間の天井Ｃの面に近い側に開いた第２位置IIに移動するので、吹き出し空気による空調対象空間の天井Ｃの汚れを抑制することが可能である。
【００３１】
（２）
実施形態の空気調和装置１では、第１可動パネル３は、第２位置IIにおいて、空調対象空間の天井Ｃの面に対して、下方へ０〜４５°傾斜した状態になるので、吹き出し空気による天井Ｃの汚れを効果的に抑制することが可能である。
（３）
実施形態の空気調和装置１では、第１可動パネル３は、第２位置IIにおいて、前記空調対象空間の天井Ｃの面に対して、下方へ２０〜３０°傾斜した状態になるので、吹き出し空気による天井Ｃの汚れをより効果的に抑制することが可能である。
【００３２】
（４）
実施形態の空気調和装置１では、可動パネル移動機構４は、第１可動パネル３を、第１位置Ｉと第２位置IIとの間を、回転させて移動させるので、簡単な機構で第１可動パネル３を第１位置Iと第２位置IIとの間を確実に往復移動させることが可能である。
（５）
また、実施形態の空気調和装置１の第１可動パネル３では、第１可動パネル３は、吹出口３５の幅Ｗ０に対して、０．２５〜１．０倍の幅Ｗ１を有しているので、空気調和装置１の停止時においては、第１可動パネル３は第１位置Ｉで吹出口３５の少なくとも外側部分を閉じることによって吹出口３５を居室内から見えにくくして停止時の状態における意匠性をより効果的に向上することが可能である。
さらに、空気調和装置１の運転時においても、第２位置IIにおける第１可動パネル３が天井Ｃへ向かう空気の吹き出しを抑制することが可能であるので、吹き出し空気による空調対象空間の天井Ｃの汚れをより効果的に抑制することが可能である。
【００３３】
＜実施形態の変形例＞
（Ａ）
実施形態の空気調和装置１では、第１可動パネル３によって吹出口３５のみを開閉しているが、本発明はこれに限定されるものではなく、本発明の変形例として、図６（ａ）、（ｂ）に示されるように、さらにケース２下面の吸込口３４を開閉する第２可動パネル９をさらに備え、可動パネル移動機構４が第１可動パネル３および第２可動パネル９を開閉するようにしてもよい。
【００３４】
この場合、図６（ａ）に示される空気調和装置１の停止時において、第１可動パネル３および第２可動パネル９によって吸込口３４および吹出口３５の両方を閉じることによって、吹出口３５だけでなく吸込口３４も居室内から見えなくなり、空気調和装置１のケース２の下面を天井面と調和するオールフラットにすることが可能になり、意匠性がさらに向上する。
【００３５】
また、図６（ａ）、（ｂ）に示される第２可動パネル９は、吸込口開閉部分９ａと、吹出口開閉部分９ｂと、回転軸９ｃとを有している。回転軸９ｃは、ケース２の内部の支持部１２に回転自在に連結されている。吹出口３５は、吹出口開閉部分９ｂと第１可動パネル３によって開閉される。この場合、第１可動パネル３の幅は、吹出口３５の幅の０．２５〜０．７５倍（好ましくは、０．５倍）に設定されている。
【００３６】
したがって、図６（ｂ）に示されるように、可動パネル移動機構４の駆動力によって第１可動パネル３および第２可動パネル９がそれぞれ矢印Ａ４およびＡ５方向に回転して所定の角度だけ開いた状態では、吹出口３５から吹き出される空気は、吹出口開閉部分９ｂと第１可動パネル３の両方によって風路が規制される。その結果、より確実に天井Ｃの汚れを抑制することが可能になる。
【００３７】
（Ｂ）
実施形態の空気調和装置１では、第１可動パネル３を回転させることによって吹出口３５を開閉しているが、本発明はこれに限定されるものではなく、本発明の他の変形例として、図７（ａ）、（ｂ）に示されるように、可動パネル移動機構４が第１可動パネル３を、第１位置Iと第２位置IIとの間を矢印Ａ６方向またはその反対方向にスライドさせて移動させるようにしてもよい。この場合も、簡単な機構で第１可動パネル３を第１位置Iと第２位置IIとの間を確実に往復移動させることが可能である。
【００３８】
ここでは、図７（ａ）に示される第１位置Ｉでは第１可動パネル３が水平になるようにしておき、図７（ｂ）に示される第２位置IIへ移動するときには、第１可動パネル３を可動パネル移動機構４によって若干傾斜させてから矢印Ａ６方向へスライド移動させている。なお、第１位置Ｉでは第１可動パネル３をあらかじめ若干傾斜しておいてもよい。
第１可動パネル３をスライド駆動させる可動パネル移動機構４としては、例えばラックとピニオンとを組み合わせた機構などが採用され得る。
【００３９】
（Ｃ）
実施形態の空気調和装置１では、第１可動パネル３は、平坦な板状部材であるが、本発明はこれに限定されるものではない。本発明の他の変形例として、図８（ａ）に示される第１可動パネル３は、第２位置IIにおける空調対象空間の天井Ｃの面に対する端部部分３ｂの傾斜角θａ（図８（ｂ）参照）が中央部分３ｃの傾斜角θｂ（図８（ｃ）参照）よりも大きくなるような形状をしていてもよい。
【００４０】
この場合、吹出口３５の両端部３５ａ、３５ｂ付近における天井Ｃの汚れをより効果的に抑制することが可能になる。
端部部分３ｂの傾斜角θａは、２５〜３５°（好ましくは３０°）、中央部分３ｃの傾斜角θｂは、２０〜３０°（好ましくは２５°）に設定される。
なお、図８（ａ）〜（ｃ）に示されるように、第１可動パネル３は、中央から端部に向かって徐々に傾斜角が変わるような形状だけでなく、端部付近だけ部分的に傾斜角が変わるような形状であっても、吹出口３５の両端部３５ａ、３５ｂ付近における天井Ｃの汚れをより効果的に抑制することが可能である。
【００４１】
（Ｄ）
実施形態の空気調和装置１では、第１可動パネル３は、長方形の板状部材であるが、本発明はこれに限定されるものではない。本発明の他の変形例として、図９に示される第１可動パネル３は、端部部分３ｂの幅Ｗ２よりも中央部分３ｃの幅Ｗ３が大きくなるような形状をしている。
この場合、吹出口３５の中央３５ｃの付近における天井Ｃの汚れをより効果的に抑制することが可能になる。
【００４２】
（Ｅ）
実施形態の空気調和装置１では、第１可動パネル３は、平坦な板状部材であるが、本発明はこれに限定されるものではない。本発明のさらに他の変形例として、図１０（ａ）〜（ｃ）に示される第１可動パネル３は、第２位置IIにおいて端部部分３ｂが中央部分３ｃよりも天井Ｃの面から離れているような形状をしていてもよい。
【００４３】
この場合、第１可動パネル３が第２位置IIの開いた状態（図１０（ｂ）および（ｃ）参照）では、吹出口３５の両端部３ｂ付近における天井Ｃの汚れをより効果的に抑制することが可能になる。
また、第１可動パネル３が第１位置Ｉの閉じた状態（図１０（ａ）および（ｃ）参照）では、第１可動パネル３が天井Ｃまたはフラットパネル３３よりも凹んで見えることによって空気調和装置１の意匠性がさらに向上する。
【００４４】
第１可動パネル３は、図１０（ａ）に示される第１位置Ｉの閉じた状態と図１０（ｂ）に示される第２位置IIの開いた状態との間を、可動パネル移動機構４の駆動力によってスライド移動する。第１可動パネル３をスライド駆動させる可動パネル移動機構４としては、例えばラックとピニオンとを組み合わせた機構などが採用され得る。
（Ｆ）
実施形態の空気調和装置１では、第１可動パネル３は、平坦な板状部材であるが、本発明はこれに限定されるものではない。本発明のさらに他の変形例として、図１１（ａ）〜（ｃ）に示される第１可動パネル３は、端部部分３ｂの厚さが中央部分３ｃの厚さよりも厚い形状をしていてもよい。
【００４５】
この場合も上記の変形例（Ｅ）と同様に、第１可動パネル３が第２位置IIの開いた状態（図１１（ｂ）および（ｃ）参照）では、吹出口３５の両端部３ｂ付近における天井Ｃの汚れをより効果的に抑制することが可能になる。
また、第１可動パネル３が第１位置Ｉの閉じた状態（図１１（ａ）および（ｃ）参照）では、第１可動パネルが天井Ｃまたはフラットパネル３３よりも凹んで見えることによって空気調和装置１の意匠性がさらに向上する。
【００４６】
第１可動パネル３は、図１１（ａ）に示される第１位置Ｉの閉じた状態と図１１（ｂ）に示される第２位置IIの開いた状態との間を、可動パネル移動機構４の駆動力によってスライド移動する。第１可動パネル３をスライド駆動させる可動パネル移動機構４としては、例えばラックとピニオンとを組み合わせた機構などが採用され得る。
（Ｇ）
また、本発明のさらに他の変形例として、第１可動パネル３は、上記変形例の４つの形状、すなわち、（ａ）第２位置IIにおける空調対象空間の天井Ｃの面に対する端部部分３ｂの傾斜角が中央部分３ｃの傾斜角よりも大きくなるような形状、（ｂ）端部部分３ｂの幅よりも中央部分３ｃの幅が大きくなるような形状、（ｃ）第２位置IIにおいて端部部分３ｂが中央部分３ｃよりも空調対象空間の天井Ｃの面から離れているような形状、および（ｄ）端部部分３ｂの厚さが中央部分３ｃの厚さよりも厚い形状、からなる群から選ばれた少なくとも２つ以上の形状の組合せを有するようにしてもよい。この場合、これらの形状の組合せによって天井Ｃの汚れをより一層効果的に抑制することが可能になる。
【産業上の利用可能性】
【００４７】
本発明は、ケース下面に吹出口を備えている天井設置型の空気調和装置について広く適用することが可能である。したがって、天井埋込み型だけでなく、天井吊下げ型の空気調和装置にも適用することが可能である。
【図面の簡単な説明】
【００４８】
【図１】本発明の実施形態に係る天井設置型の空気調和装置の第１可動パネルが閉じた状態の外観斜視図。
【図２】図１の空気調和装置の第１可動パネルが開いた状態の外観斜視図。
【図３】図１の空気調和装置の第１位置における第１可動パネル付近の拡大断面図。
【図４】図１の空気調和装置の第２位置における第１可動パネル付近の拡大断面図。
【図５】図１の空気調和装置の第１可動パネルが開いた状態を下から見た図。
【図６】本発明の実施形態の変形例である第１可動パネルおよび第２可動パネルの動作説明図であって、（ａ）は閉じた状態の図であり、（ｂ）は開いた状態の図。
【図７】本発明の実施形態の他の変形例であるスライド式の第１可動パネルの動作説明図であって、（ａ）は閉じた状態の図であり、（ｂ）は開いた状態の図。
【図８】本発明の実施形態のさらに他の変形例である端部部分の傾斜角が大きい第１可動パネルについての、（ａ）は開いた状態を斜め下方から見た図、（ｂ）は（ａ）のＡ−Ａ断面図、（ｃ）は（ａ）のＢ−Ｂ断面図。
【図９】本発明の実施形態のさらに他の変形例である中央部分の幅が大きい第１可動パネルの開いた状態を斜め下方から見た図。
【図１０】本発明の実施形態のさらに他の変形例である端部部分が天井から離れている第１可動パネルについての、（ａ）は閉じた状態を斜め下方から見た図、（ｂ）は開いた状態を斜め下方から見た図、（ｃ）は（ａ）または（ｂ）を矢印Ｃ１方向から見た図。
【図１１】本発明の実施形態のさらに他の変形例である端部部分が厚い第１可動パネルについての、（ａ）は閉じた状態を斜め下方から見た図、（ｂ）は開いた状態を斜め下方から見た図、（ｃ）は（ａ）または（ｂ）を矢印Ｃ２方向から見た図。
【符号の説明】
【００４９】
１  空気調和装置
２  ケース
３  可動パネル
４  可動パネル移動機構
７  ドレンパン
３３  フラットパネル
３４  吸込口
３５  吹出口
【図１】
2007292328.tif 000003
【図２】
2007292328.tif 000004
【図３】
2007292328.tif 000005
【図４】
2007292328.tif 000006
【図５】
2007292328.tif 000007
【図６】
2007292328.tif 000008
【図７】
2007292328.tif 000009
【図８】
2007292328.tif 000010
【図９】
2007292328.tif 000011
【図１０】
2007292328.tif 000012
【図１１】
2007292328.tif 000013